(57)【要約】【課題】バナナやパパイヤなどの果樹を栽培可能な地域において、台風の被害を低減する技術に関し、塩害などによる経年劣化を来さないヤシの木を利用して防風ネットや防鳥ネットを支持でき、しかもヤシの実も収穫して換金可能とする。【解決手段】果実を収穫利用できるヤシの木Ｙ１・Ｙ２・Ｙ２…を間隔をおいて植え、これらのヤシの木を利用して防風ネット４を支持し張り付けると共に、この防風ネット４の内側に、バナナやパパイヤなどの果樹を栽培する。また、前記のヤシの木を利用して、前記の防風ネットの内側の上方に防鳥ネットを水平方向に張ることで、鳥害を防止する。【選択図】          図１
2004229618.tif 000002
【特許請求の範囲】
【請求項１】
果実を収穫利用できるヤシの木を間隔をおいて植え、これらのヤシの木を利用して防風ネットを支持し張り付けると共に、
この防風ネットの内側に、バナナやパパイヤなどの果樹を栽培することを特徴とする果樹栽培方法。
【請求項２】
前記のヤシの木を利用して、前記の防風ネットの内側の上方に防鳥ネットを水平方向に張ることを特徴とする請求項１に記載の果樹栽培方法。
【請求項３】
前記の防風ネットの内側に鶏などの動物を放し飼いすることを特徴とする請求項１または請求項２に記載の果樹栽培方法。
【請求項４】
前記の防風ネットの内側を複数の区画に分割し、一部の区画に動物を放し飼いしている間は、他の区画には動物を放し飼いせずに、果樹などの植物の手入れ・植え替え又は土壌の手入れ・養生などを行なうことを特徴とする請求項１、請求項２または請求項３に記載の果樹栽培方法。
【請求項５】
前記の防風ネットの内側にもヤシの木を間隔をおいて植え、内側のヤシの木にも防風ネットまたは防鳥ネットの少なくとも片方を支持することを特徴とする請求項１、請求項２、請求項３または請求項４に記載の果樹栽培方法。
【請求項６】
前記のヤシの木が、防風ネットを支持可能に成長するまでは、仮の支柱を立てて、防風ネットを支持することを特徴とする請求項１から請求項５までのいずれかの項に記載の果樹栽培方法。
【請求項７】
果実を収穫利用できるヤシの木を間隔をおいて植え、これらのヤシの木を利用して防風ネットを支持し張り付けてあること、
前記のヤシの木を利用して、前記の防風ネットの内側の上方に防鳥ネットを水平方向に張ってあることを特徴とする果樹栽培施設。
【発明の詳細な説明】
【０００１】
【産業上の利用分野】
本発明は、バナナやパパイヤなどの果樹を栽培可能な地域において、台風の被害を低減する技術に関し、防風ネットの支持に、ヤシの実を収穫利用できるヤシの木を利用する技術である。
【０００２】
【従来の技術】
我が国では、バナナやパパイヤなどは外国からの輸入が多いが、完熟しない状態で輸入してから、国内でエチレンガスで消毒したり完熟させるため、輸入品は消費者が不安がり、あまり好まれない。これに対し、沖縄産のバナナやパパイヤは輸入品に比べると安心であり、消費者が歓迎する。
【０００３】ところが、沖縄や奄美地方は台風の襲来が多いため、バナナやパパイヤなどは栽培が困難であり、生産農家には喜ばれないのが実状である。
その結果、生産地である沖縄でさえも輸入品が消費されているのが現実である。
【０００４】それでも、一部の業者は、例えば特許第３３３９８４７号特許公報などに掲載されているように、効果的な防風ネット支持構造を開発し、台風被害からバナナやパパイヤなどを防護して生産性を上げており、効果を発揮しつつある。
【０００５】
【発明が解決しようとする課題】
しかしながら、このような防風構造は、防風ネットの支持構造の材料費や施工費が高くなる。すなわち、防風ネットの支柱を地中に固定するのにコンクリート基礎を要するなど、大がかりとなる。
【０００６】また、塩害の多い沖縄では、金属製の支柱は寿命が短く、経年変化で支柱が転倒したりする危険も有るので、入念に保守点検をする必要があり、また何年か後には、撤去して立て替える必要も出てくる。このようにコスト以外にも問題が多いため、実用化は困難であり、採用に尻込みする農家が多く、普及には至っていない。
【０００７】本発明の発明者は、このようにコストばかりかかり、しかも寿命の短い人工の構造物に代わって、自然に優しい天然の植物であるヤシの木を利用することで、防風ネットを支持でき、しかもヤシの実も収穫して活用できることに着目した。
【０００８】本発明の技術的課題は、このような問題に着目し、塩害などによる経年劣化を来さないヤシの木を利用して防風ネットや防鳥ネットを支持でき、しかもヤシの実も収穫して換金可能とすることにある。
【０００９】
【課題を解決するための手段】
本発明の技術的課題は次のような手段によって解決される。請求項１は、果実を収穫利用できるヤシの木を間隔をおいて植え、これらのヤシの木を利用して防風ネットを支持し張り付けると共に、この防風ネットの内側に、バナナやパパイヤなどの果樹を栽培することを特徴とする果樹栽培方法である。
【００１０】このように、間隔をおいて植えたヤシの木を利用して防風ネットを支持して張り付けるので、防風ネットを張れる３ｍ程度まで成長してしまえば、金属製の支柱などと違って塩害などで劣化したり、転倒するなどの問題はなく、半永久に支柱代わりに利用できる。したがって、この防風ネットの内側に、バナナやパパイヤなどの果樹を栽培すると、防風ネットによって、台風被害を効果的に抑制できる。
【００１１】また、使用するヤシの木は、果実を収穫利用できる品種を採用するので、ヤシの実を収穫して、ジュース用などとして販売できるため、支柱代わりのヤシの木は換金作物としても貢献でき、農家の経営に好都合である。
【００１２】請求項２は、請求項１に記載のヤシの木を利用して、前記の防風ネットの内側の上方に防鳥ネットを水平方向に張ることを特徴とする果樹栽培方法である。
【００１３】このように、前記のヤシの木を利用して、前記の防風ネットの内側の上方に防鳥ネットを水平方向に張る方法によると、台風被害の防止・抑制だけでなく、バナナやパパイヤ、みかんなどの果実に被害を与えるヒヨドリやカラスなどの鳥類を防止することも可能となる。
【００１４】請求項３は、請求項１または請求項２に記載の防風ネットの内側に鶏などの動物を放し飼いすることを特徴とする果樹栽培方法である。
【００１５】このように、防風ネットの内側に鶏などの動物を放し飼いする方法によると、防風ネットによって、鶏などの動物の活動領域を囲うことで行方不明を防止でき、防風ネットの内側の領域では、放し飼いできるので、運動不足やストレスも解消できる。また、防風ネットの内部の果樹園には、鶏などの好む虫類や雑草も多いので、自然の餌で飼育できると同時に飼料の節減も可能となる。虫類や雑草が餌になることで、栽培している果樹や野菜などの植物の生育にも好都合である。
【００１６】請求項４は、請求項１、請求項２または請求項３に記載の防風ネットの内側を複数の区画に分割し、一部の区画に動物を放し飼いしている間は、他の区画には動物を放し飼いせずに、果樹などの植物の手入れ・植え替え又は土壌の手入れ・養生などを行なうことを特徴とする果樹栽培方法である。
【００１７】このように、防風ネットの内側を複数の区画に分割し、一部の区画に動物を放し飼いしている間は、他の区画には動物を放し飼いせずに、果樹などの植物の手入れ・植え替え又は土壌の手入れ・養生などを行なうので、常に果樹などの植物の手入れや土壌の養生などを行なうことができる。そして、鶏などの動物を飼育可能な状態になってから、鶏などを放し飼いするので、常に、飼育に適した状態を維持できる。
【００１８】また、動物を放し飼いしている間は、他の区画は飼育に使用しないで、果樹などの植物の手入れや植え替え、土壌の手入れ・養生（有機肥料の生産を含む）などを行なうので、動物に妨げられずに作業できるほか、鶏糞などをたい肥として使用可能な状態にできる。その結果、循環型の有機栽培が可能となる。
【００１９】さらに、農薬や除草剤を使用しない、有機農業が可能となることで、収穫される果物が安全なだけでなく、土壌はミミズなどの小動物が耕してくれるので、人為的に耕す必要性は少ない。その結果、土壌が人為的に耕されることで赤土が流出するなどの問題も解消され、赤土が海浜に流出して環境汚染したり、漁業被害を来すなどの問題も解消される。
【００２０】請求項５は、請求項１、請求項２、請求項３または請求項４に記載の防風ネットの内側にもヤシの木を間隔をおいて植え、内側のヤシの木にも防風ネットまたは防鳥ネットの少なくとも片方を支持することを特徴とする果樹栽培方法である。
【００２１】防風ネットの内側の果樹園が広い場合は、内部の中央部分は防風効果が減少するが、請求項５のように、外周の防風ネットの内側にもヤシの木を間隔をおいて植えて、防風ネットや防鳥ネットを支持すると、全体的に台風被害を低減でき、また内部の果樹園の中央部で防鳥ネットが垂れ下がらないように、支持することも可能となる。
【００２２】請求項６は、請求項１から請求項５までのいずれかの項に記載のヤシの木が、防風ネットを支持可能に成長するまでは、仮の支柱を立てて、防風ネットを支持することを特徴とする果樹栽培方法である。
【００２３】このように、ヤシの木が、防風ネットを支持可能に成長するまでは、仮の支柱を立てて、防風ネットを支持するので、ヤシの木以外による支柱は、ヤシの木が成長するまでの短期間で済む。
【００２４】請求項７は、果実を収穫利用できるヤシの木を間隔をおいて植え、これらのヤシの木を利用して防風ネットを支持し張り付けてあること、
前記のヤシの木を利用して、前記の防風ネットの内側の上方に防鳥ネットを水平方向に張ってあることを特徴とする果樹栽培施設である。
【００２５】このように、この果樹栽培施設は、果実を収穫利用できるヤシの木を間隔をおいて植え、これらのヤシの木を利用して防風ネットや防鳥ネットを支持し張り付けてあるので、金属製の支柱と違って、塩害の恐れや立て替えなどの問題が解消され、安価に実現できる。
【００２６】また、使用するヤシの木は、果実を収穫利用できる品種を植えるので、果実を収穫し製品として出荷し、換金できるため、防風ネットや防鳥ネットの支持手段が利益も生むことになり、一石二鳥となる。
【００２７】
【発明の実施の形態】
次に本発明による果樹栽培方法と果樹栽培施設が実際上どのように具体化されるか実施形態を説明する。図１は本発明による果樹栽培方法と果樹栽培施設を示す概念図（側面図）である。
【００２８】図において、Ｙ…はヤシの木であり、各ヤシの木Ｙ１・Ｙ２・Ｙ３…が例えば約３ｍ間隔とか、あるいは約４ｍ間隔、約６ｍ間隔、約８ｍ間隔というように、ほぼ一定の間隔で植えてある。図示のヤシの木Ｙ１・Ｙ２・Ｙ３…は、木の部分が例えば約３ｍ以上に成長した例であり、例えば高さ約３ｍの部分にロープ１を結び付けて、ほぼ水平に張ってある。
【００２９】また、高さ約１．５ｍの部分にロープ２を張り、地表すれすれの部分、例えば約０〜１０ｃｍの高さにロープ３を張ってある。そして、これらのロープ１、２、３に防風ネット４を取付け支持してある。なお、ヤシの木Ｙ１・Ｙ２・Ｙ３…が充分に成長した場合は、ヤシの実５が結実する。
【００３０】そして、この防風ネット４の内側で果樹などを栽培したり、鶏６やアヒルなどを放し飼いする。したがって、通常は、果樹園の周囲に前記のように等間隔にヤシの木Ｙ１・Ｙ２・Ｙ３…を植えて防風ネット４を張り、果樹園の外周全体を防風ネット４で囲うようにする。
【００３１】こうして防風ネット４で囲った内側で、バナナ７やパパイヤ８、マンゴー、グァバ、ヤエヤマアオキ、レイシ、パッションフルーツ、キウイ、シークヮーサー（ヒラミレモン）やタンカンなどの柑橘類などを栽培する。果物に限らず、ゴーヤー（苦瓜）やヘチマなどの蔓性の野菜を栽培したり、さつま芋、ハーブなどを栽培することもできる。
【００３２】防風ネット４や防鳥ネットを支持するためのヤシの木は、果実を利用できる品種を植えるため、充分に成長すると、果実を収穫し、ジュースやヤシ油用として利用できる。また、ヤシ殻は、繊維にしてロープの生産に利用したり、クッションやろ過材として、あるいは土壌改良材としても利用できる。したがって、ヤシの木は、防風ネットや防鳥ネットの支持とヤシの実の収穫利用に兼用できる。
【００３３】また、従来の金属製の人工の支柱に比べると、自然のヤシの木は景観の向上にも寄与できる。塩害で劣化するなどの問題もなく、台風で折れたりする恐れもなく、強度は充分である。しかも、１００年程度は支柱代わりに利用できるので、半永久的とも言える。６０年以上栽培したヤシの木は、木質が硬くなるので、建材用の木材として利用できる。
【００３４】このような果樹園では、雑草９の発生は避けられないが、雑草９は鶏６やアヒルなとが餌として食べてくれる。また、防風ネット４の内側で飼育している動物の糞尿は果樹や野菜類の肥料として作用する。すなわち、糞尿は、微生物の液体を散布したりすることによって、容易に分解して、肥料となる。
【００３５】また、バナナやパパイヤは３〜４年経過すると老木となるため、新たな木に植え替えて更新する必要があるが、この際にバナナやパパイヤの木や葉が大量に発生する。ところが、バナナやパパイヤの木や葉は柔らかく、腐食し易いため、これらに微生物を振りかけたりして醗酵分解させると、良好な有機肥料となる。
【００３６】したがって、このようにして鶏糞や果樹から生産した自然の肥料を利用することによって、化学肥料や農薬、除草剤を使用しない有機農業が可能となるため、収穫される果物が安全なだけでなく、土壌はミミズなどの小動物が耕してくれるので、人為的に耕す必要はない。土壌が人為的に耕されると赤土が流出して海浜を汚染したり、漁業被害を来すなどの問題があるが、ミミズなどの小動物が生息し易い有機農場とすることで、赤土流出の問題も解消される。
【００３７】果樹園の果実をヒヨドリやカラスなどから保護するために防鳥ネットを張ることもできる。すなわち、ヤシの木Ｙ１・Ｙ２・Ｙ２…の前記ロープ１の高さに防鳥ネット用のロープを支持して、果樹園の上方まで張る。そして、このロープを利用して、防鳥ネットを水平方向に張る。なお、このように防鳥ネットを張れば、果樹園の内部にメジロを放し飼いすることによって、鶏の届かない高い所に居る害虫を餌にするので、害虫被害も防止できる。また、花粉の受粉にも役立つ。
【００３８】防風ネット４の内側の果樹園内にもヤシの木を植えて、防風ネットや防鳥ネットを張ることが有効であり、また果樹園内を複数に区画して、各区画単位で交互に利用することが有効である。
【００３９】図２は平面図であり、各ヤシの木Ｙ１・Ｙ２・Ｙ３…は、木の部分を断面にした水平断面図の状態で表現してある。図示例は、長方形状の果樹園の例であり、ヤシの木Ｙ１・Ｙ２・Ｙ３…を一定の間隔で長方形状に植えると共に、図１のようにロープ１・２・３を張って、防風ネット４を張り、果樹園の外周を囲ってある。
【００４０】また、果樹園の内部にもヤシの木Ｙ１１・Ｙ１２・Ｙ１３…やＹ２１・Ｙ２２・Ｙ２３…を植えてある。すなわち、ヤシの木Ｙ４の位置とＹ７の位置で、縦方向にヤシの木Ｙ１１・Ｙ１２・Ｙ１３…を一定の間隔で植えて、図１の場合と同じ要領でロープ１・２・３を水平に張って、防風ネットを取付け支持してある。また、縦方向を２等分する位置において、ヤシの木Ｙ２１・Ｙ２２・Ｙ２３…を植えて、図１の場合と同じ要領でロープ１・２・３を水平に張って、防風ネットを取付け支持してある。
【００４１】外周を防風ネット４で囲まれた果樹園が広い場合は、果樹園の中央部付近は防風ネット４による防風効果が低下する。ところが、図示のように、果樹園の内部においても、縦横方向にヤシの木Ｙ１１・Ｙ１２・Ｙ１３…やＹ２１・Ｙ２２・Ｙ２３…を植えて、防風ネットを張ってあると、外周の防風ネット４による防風効果の少ない場所も効果的に強風を抑制できる。
【００４２】そして、果樹園の上方に防鳥ネット１０を水平に張る場合は、各ヤシの木間に張った外周の上部ロープ１…や果樹園内部の上部ロープ１ａ…、１ｂ…に防鳥ネット１０を取付けて水平に張る。これらのロープ１…、１ａ…、１ｂ…だけでは不十分な場合は、鎖線で示すように、他のヤシの木にもロープ１ｘ、１ｙを張って、その上に防鳥ネットを載せて支持することもできる。
【００４３】このように、果樹園の上方に防鳥ネット１０を水平方向に張ると、鳥類が果樹園内に侵入して果実を食い荒らすのを防止できるだけでなく、防鳥ネット１０が防風ネットの役目も兼ねる。したがって、果樹園の上方から果樹園内の果樹などに吹き付ける強風を低減できる。防風ネット４は、風の通過を抑制するために、２ｍｍ程度の細かい網目になっているのに対し、防鳥ネット１０は防鳥目的であるため、２〜３ｃｍ程度の粗い網目になっているが、それでも防風効果はかなり期待できる。
【００４４】以上のように、ヤシの木を利用して、防風ネットの取付け支持と、防鳥ネットの取付け支持を行なっているが、防風ネット又は防鳥ネットのみの取付け支持も可能である。ヤシの木は、木の部分が高く、また木の部分には葉が無いため、ヤシの木の周囲が日陰になることはない。しかも、太陽の位置の移動によって、ヤシの葉による影の位置も常に移動するため、果樹園の作物が影になって悪影響を受ける恐れはない。
【００４５】冬季などの北風を防ぐために、果樹園の北側には目の細かい防風ネットを張り、南側には目の粗い防鳥ネットを張ることも可能である。また、離島や海岸付近の場所では、防潮ネットを張ることもあるが、この場合もヤシの木を列状に植えて、図１のようにロープ１・２・３を張り、防潮ネットを取付け支持することもできる。同様にして、北側に防風ネットを張れば、植物やビニールハウス、家屋などを北風から守ることもできる。
【００４６】図１のように、ヤシの木Ｙ１・Ｙ２・Ｙ３…が、防風ネット４を張れるだけ高く成長している場合は問題ないが、低木の場合は、仮の支柱を用いることになる。すなわち、各ヤシの木Ｙ１・Ｙ２・Ｙ３…の間に仮の支柱を間隔をおいて立てる。そして、この仮の支柱にロープ１・２・３を取付け支持し、防風ネット４を張る。各ヤシの木が、防風ネットを張れるまで成長したら、仮の支柱の使用は止めて、本発明の方法により、ヤシの木を利用して防風ネットや防鳥ネットを張る。
【００４７】図２のように、果樹園内に縦横のロープ１ａ、１ｂを利用して防風ネットを張った場合、図示例では、縦横の防風ネットによって、果樹園をＺ１〜Ｚ６に６分割できる。したがって、それぞれの区画Ｚ１〜Ｚ６内で鶏などの動物を飼育した場合、他の区画に移動することはできない。
【００４８】したがって、このように、果樹園内を複数の区画に分割することによって、鶏などの動物を順次区画Ｚ１→Ｚ２→Ｚ３→Ｚ４→Ｚ５→Ｚ６→Ｚ１…のように、循環移動させることによって、効率的に飼育したり、果樹などを栽培できる。
【００４９】バナナやパパイヤは、３〜４年栽培すると老木となるので、新たな若木に植え替えて、更新する必要がある。例えば、区画Ｚ１で、このように老木を更新したりする間は、作業の邪魔になり、また餌になる雑草も食い尽くされているので、区画Ｚ１では鶏などを飼育しないで、他の区画例えばＺ２やＺ３で飼育する。また、更新の際に老木を処理するが、この老木や鶏糞などを積んで微生物の菌をかけたりすることで、たい肥を生産できる。
【００５０】こうして、更新作業が完了すると、数カ月放置して、果樹の苗木を成長させる。また、この間に雑草の新芽が出て、鶏などの動物の餌に最適な状態となるので、他の区画から鶏などの動物を移動させて放し飼いする。
【００５１】このように、ある区画に餌となる雑草が育ったら、鶏などを招き入れて放し飼いし、鶏などが不在となった区画を利用して、果樹などの植物の手入れや植え替えをしたり、肥料の生産・施肥をしたり、土壌の養生などを行なう。
【００５２】なお、果樹園内に植える果樹は、バナナやパパイヤなどのように枝や葉が横に広がらない種類とマンゴーやグァバなどのように大木となって横に広がる種類が有るが、バナナやパパイヤなどを栽培する場合は、防風ネット支持用のヤシの木は間隔を狭くし、マンゴーやグァバなどを栽培する場合は、間隔を広くするのがよい。
【００５３】
【発明の効果】
請求項１のように、間隔をおいて植えたヤシの木を利用して防風ネットを支持して張り付けるので、防風ネットを張れる３ｍ程度まで成長してしまえば、金属製の支柱などと違って塩害などで劣化したり、転倒するなどの問題はなく、半永久に支柱代わりに利用できる。したがって、この防風ネットの内側に、バナナやパパイヤなどの果樹を栽培すると、防風ネットによって、台風被害を効果的に抑制できる。
【００５４】また、使用するヤシの木は、果実を収穫利用できる品種を採用するので、ヤシの実を収穫して、ジュース用などとして販売できるため、支柱代わりのヤシの木は換金作物としても貢献でき、農家の経営に好都合である。
【００５５】請求項２のように、前記のヤシの木を利用して、前記の防風ネットの内側の上方に防鳥ネットを水平方向に張る方法によると、台風被害の防止・抑制だけでなく、バナナやパパイヤ、みかんなどの果実に被害を与えるヒヨドリやカラスなどの鳥類を防止することも可能となる。
【００５６】請求項３のように、防風ネットの内側に鶏などの動物を放し飼いする方法によると、防風ネットによって、鶏などの動物の活動領域を囲うことで行方不明を防止でき、防風ネットの内側の領域では、放し飼いできるので、運動不足やストレスも解消できる。また、防風ネットの内部の果樹園には、鶏などが好む虫類や雑草も多いので、自然の餌で飼育できると同時に飼料の節減も可能となる。虫類や雑草が餌になることで、栽培している果樹や野菜などの植物の生育にも好都合である。
【００５７】請求項４のように、防風ネットの内側を複数の区画に分割し、一部の区画に動物を放し飼いしている間は、他の区画には動物を放し飼いせずに、果樹などの植物の手入れ・植え替え又は土壌の手入れ・養生などを行なうので、常に果樹などの植物の手入れや土壌の養生などを行なうことができる。そして、鶏などの動物を飼育可能な状態になってから、鶏などを放し飼いするので、常に、飼育に適した状態を維持できる。
【００５８】また、動物を放し飼いしている間は、他の区画は飼育に使用しないで、果樹などの植物の手入れや植え替え、土壌の手入れ・養生（有機肥料の生産を含む）などを行なうので、動物に妨げられずに作業できるほか、鶏糞などをたい肥として使用可能な状態にできる。その結果、循環型の有機栽培が可能となる。
【００５９】さらに、農薬や除草剤を使用しない、有機農業が可能となることで、収穫される果物が安全なだけでなく、土壌はミミズなどの小動物が耕してくれるので、人為的に耕す必要性は少ない。その結果、土壌が人為的に耕されることで赤土が流出するなどの問題も解消され、赤土が海浜に流出して環境汚染したり、漁業被害を来すなどの問題も解消される。
【００６０】請求項５のように、外周の防風ネットの内側にもヤシの木を間隔をおいて植えて、防風ネットや防鳥ネットを支持すると、全体的に台風被害を低減でき、また内部の果樹園の中央部で防鳥ネットが垂れ下がらないように、支持することも可能となる。
【００６１】請求項６のように、ヤシの木が、防風ネットを支持可能に成長するまでは、仮の支柱を立てて、防風ネットを支持するので、ヤシの木以外による支柱は、ヤシの木が成長するまでの短期間で済む。
【００６２】請求項７のように、この果樹栽培施設は、果実を収穫利用できるヤシの木を間隔をおいて植え、これらのヤシの木を利用して防風ネットや防鳥ネットを支持して張り付けてあるので、金属製の支柱と違って、塩害の恐れや立て替えなどの問題が解消され、安価に実現できる。
【００６３】また、使用するヤシの木は、果実を収穫利用できる品種を植えるので、果実を収穫し製品として出荷し、換金できるため、防風ネットや防鳥ネットの支持手段が利益も生むことになり、一石二鳥となる。
【図面の簡単な説明】
【図１】本発明による果樹栽培方法と果樹栽培施設の概念を示す側面図である。
【図２】防風ネットの内側の果樹園を示す平面図である。
【符号の説明】
Ｙ・Ｙ１・Ｙ２・Ｙ３…・Ｙ１１・Ｙ１２・Ｙ１３…・Ｙ２１・Ｙ２２・Ｙ２３…  ヤシの木
１・２・３  ロープ
４  防風ネット
５  ヤシの実
６  鶏
７  バナナ
８  パパイヤ
９  雑草
１０  防鳥ネット
１ａ・１ｂ  上部ロープ
１ｘ・１ｙ  ロープ
Ｚ１〜Ｚ６  区画
【図１】
2004229618.tif 000003
【図２】
2004229618.tif 000004